(57)【要約】【課題】電気部品ユニットを有する蓄電装置の生産効率の向上を図る。【解決手段】蓄電素子１０を収容する外装体２Ａと、外装体２Ａに収容され、所定方向Ｘに関して複数の寸法Ｌｘの中から選択された所定寸法Ｌ１を有する電気部品ユニット３０Ａと、を備えた蓄電装置１Ａを提供する。電気部品ユニット３０Ａは、所定方向Ｘに沿って１列に重ねられることで該列の全長が所定寸法Ｌ１になる複数のサブユニット３１，３２，３３を備え、複数のサブユニット３１，３２，３３の少なくとも１つは、複数の寸法Ｌｘのいずれが選択された場合にも用いられる共通サブユニット３３である。【選択図】図８
2018010836.tif 000002
【特許請求の範囲】
【請求項１】
蓄電素子を収容する外装体と、
前記外装体に収容され、所定方向に関して複数の寸法の中から選択された所定寸法を有する電気部品ユニットと、を備え、
前記電気部品ユニットは、前記所定方向に沿って１列に重ねられることで該列の全長が前記所定寸法になる複数のサブユニットを備え、
前記複数のサブユニットの少なくとも１つは、前記複数の寸法のいずれが選択された場合にも用いられる共通サブユニットである、蓄電装置。
【請求項２】
蓄電素子を収容する外装体と、
前記外装体に収容され、所定方向に関して複数の寸法の中から選択された所定寸法を有する電気部品ユニットと、を備え、
前記電気部品ユニットは、前記所定方向に沿って１列に重ねられることで該列の全長が前記所定寸法になる複数のサブユニットを備え、
前記複数のサブユニットは、
前記複数の寸法のいずれが選択された場合にも用いられる第１及び第２共通サブユニットと、
前記複数の寸法の選択に応じて用いられ、前記所定方向において前記第１及び第２共通サブユニット間に配置されるスペーサと、を含む、蓄電装置。
【請求項３】
蓄電素子を収容する外装体と、
前記外装体に収容され、所定方向に関して複数の寸法の中から選択された所定寸法を有する電気部品ユニットと、を備え、
前記電気部品ユニットは、前記所定方向に沿って１列に重ねられることで該列の全長が前記所定寸法になる複数のサブユニットを備え、
前記複数のサブユニットは、
前記複数の寸法のいずれが選択された場合にも用いられる共通サブユニットと、
前記所定方向において前記共通サブユニットの一方側に配置され、正極外部端子に接続される電気部品を有する正極側サブユニットと、
前記所定方向において前記共通サブユニットの他方側に配置され、負極外部端子に接続される電気部品を有する負極側サブユニットと、を含む、蓄電装置。
【請求項４】
前記サブユニットのそれぞれは、前記所定方向に隣接するサブユニットを前記所定方向に位置決めする位置決め部を備える、請求項１から請求項３のいずれか１項に記載の蓄電装置。
【請求項５】
前記位置決め部は、前記所定方向に隣接する２つの前記サブユニットのうち一方のサブユニットに設けられた第１係合部と、他方のサブユニットにおいて前記所定方向に並べて設けられ、前記第１係合部に選択的に係合される複数の第２係合部とを備えている、請求項４に記載の蓄電装置。
【請求項６】
少なくとも１つの共通サブユニットを含む複数のサブユニットを備えた電気部品ユニットの所定方向の寸法として定められた複数の寸法の中からいずれか１つの寸法を選択し、
前記複数のサブユニットを前記所定方向に沿って１列に重ねることで、前記電気部品ユニットの前記所定方向の寸法を前記選択された寸法に調整し、
前記選択された寸法に調整された前記電気部品ユニットを、蓄電素子と共に外装体に収容する、蓄電装置の製造方法。
【発明の詳細な説明】
【技術分野】
【０００１】
本発明は、１個以上の蓄電素子と、電気部品が設けられた電気部品ユニットとをモジュール化した蓄電装置に関する。
【背景技術】
【０００２】
従来から、１個以上の蓄電素子（単電池）と、制御基板、コネクタ、シャント抵抗器、リレーユニット及びヒューズのような電気部品が設けられた電気部品ユニットと、蓄電素子及び電気部品ユニットを収容する外装体とを備えた蓄電装置（組電池）が知られている。なお、この種の蓄電装置は、特許文献１を含む種々の文献に開示されている。
【０００３】
電気部品ユニットには、例えばシャント抵抗器、リレーユニット及びヒューズのように、蓄電素子の端子と蓄電装置の外部端子とに電気的に接続される電気部品が設けられることがある。一方、蓄電装置の外部端子は、外装体の上面から突出するように設けられることがあり、この場合は、通例、所定の幅方向における外装体の一端部に正極外部端子が設けられ、他端部に負極外部端子が設けられる。
【０００４】
このような外部端子を有する蓄電装置において、電気部品ユニットは、外装体のサイズに合わせて該外装体の内部空間の略全幅に亘って設けられることがある。これにより、電気部品ユニットの幅方向の一端側に保持された電気部品を蓄電装置の正極外部端子に接続しやすくなり、電気部品ユニットの幅方向の他端側に保持された電気部品を蓄電装置の負極外部端子に接続しやすくなる。
【先行技術文献】
【特許文献】
【０００５】
【特許文献１】特開２０１５−０４１４８７号公報
【発明の概要】
【発明が解決しようとする課題】
【０００６】
ところで、蓄電装置の外装体のサイズは、収容される蓄電素子の個数、個々の蓄電素子の大きさ、隣接する蓄電素子間の間隔などに応じて、所定の規格で定められた複数のサイズの中から選択的に決定されることがある。
【０００７】
しかしながら、このように蓄電装置の外装体のサイズが複数存在し、外装体のサイズに合わせて電気部品ユニットの寸法が決定される場合、外装体のサイズ毎に異なる電気部品ユニットを個別に設計及び生産しなければならない。
【０００８】
また、電気部品ユニットの寸法が異なれば、電気部品の組付け位置も変わり得るため、電気部品ユニットの寸法に合わせて、電気部品の組み付け方を変えなければならないことがある。
【０００９】
したがって、外装体のサイズに合わせて異なる電気部品ユニットを用いる場合、電気部品ユニットの生産性の悪化を招くことから、蓄電装置の生産効率に関して改善の余地がある。
【００１０】
そこで、本発明は、電気部品ユニットを有する蓄電装置の生産効率の向上を図ることを課題とする。
【課題を解決するための手段】
【００１１】
本発明は、
蓄電素子を収容する外装体と、
前記外装体に収容され、所定方向に関して複数の寸法の中から選択された所定寸法を有する電気部品ユニットと、を備え、
前記電気部品ユニットは、前記所定方向に沿って１列に重ねられることで該列の全長が前記所定寸法になる複数のサブユニットを備え、
前記複数のサブユニットの少なくとも１つは、前記複数の寸法のいずれが選択された場合にも用いられる共通サブユニットである、蓄電装置を提供する。
【００１２】
この発明によれば、電気部品ユニットを構成する複数のサブユニットが所定方向に１列に重ねられることで、該所定方向に関して、外装体の寸法等に応じて選択された所定寸法を有する電気部品ユニットを容易に構築できる。また、複数のサブユニットの少なくとも１つが共通化されることで、蓄電装置の生産効率の向上を図ることができる。さらに、サブユニットの共通化によって、電気部品ユニットの初期設計及び設計変更の簡素化及び時間短縮を図ることができる。また、電気部品ユニットが複数のサブユニットに分割されることで、各サブユニットが小型化されるため、サブユニットの成形に用いられる成形機の小型化が図られる。
【００１３】
また、本発明は、
蓄電素子を収容する外装体と、
前記外装体に収容され、所定方向に関して複数の寸法の中から選択された所定寸法を有する電気部品ユニットと、を備え、
前記電気部品ユニットは、前記所定方向に沿って１列に重ねられることで該列の全長が前記所定寸法になる複数のサブユニットを備え、
前記複数のサブユニットは、
前記複数の寸法のいずれが選択された場合にも用いられる第１及び第２共通サブユニットと、
前記複数の寸法の選択に応じて用いられ、前記所定方向において前記第１及び第２共通サブユニット間に配置されるスペーサと、を含む、蓄電装置を提供する。
【００１４】
なお、本明細書において、「スペーサ」が電気部品ユニットの複数の寸法の選択に応じて用いられるということは、電気部品ユニットの寸法の選択によっては、スペーサが１つも用いられなかったり、電気部品ユニットの寸法の選択に応じた個数のスペーサが用いられたり、電気部品ユニットの寸法の選択に応じた寸法を有するスペーサが用いられたりすることを意味する。
【００１５】
この発明によれば、電気部品ユニットを構成する第１及び第２共通サブユニットを含む複数のサブユニットが所定方向に１列に重ねられ、必要に応じて、第１及び第２共通サブユニット間に配置されるスペーサが追加又は省略されたり、スペーサの寸法が変更されたりすることで、前記所定方向に関して、外装体の寸法等に応じて選択された所定寸法を有する電気部品ユニットを容易に構築できる。また、少なくとも２つのサブユニットが共通化されることで、蓄電装置の生産効率の向上を図ることができる。さらに、サブユニットの共通化によって、電気部品ユニットの初期設計及び設計変更の簡素化及び時間短縮を図ることができる。また、電気部品ユニットが複数のサブユニットに分割されることで、各サブユニットが小型化されるため、サブユニットの成形に用いられる成形機の小型化が図られる。
【００１６】
さらに、本発明は、
蓄電素子を収容する外装体と、
前記外装体に収容され、所定方向に関して複数の寸法の中から選択された所定寸法を有する電気部品ユニットと、を備え、
前記電気部品ユニットは、前記所定方向に沿って１列に重ねられることで該列の全長が前記所定寸法になる複数のサブユニットを備え、
前記複数のサブユニットは、
前記複数の寸法のいずれが選択された場合にも用いられる共通サブユニットと、
前記所定方向において前記共通サブユニットの一方側に配置され、正極外部端子に接続される電気部品を有する正極側サブユニットと、
前記所定方向において前記共通サブユニットの他方側に配置され、負極外部端子に接続される電気部品を有する負極側サブユニットと、を含む、蓄電装置を提供する。
【００１７】
この発明によれば、電気部品ユニットを構成する共通サブユニット、正極側サブユニット及び負極側サブユニットを含む複数のサブユニットが所定方向に１列に重ねられ、必要に応じて、正極側及び負極側サブユニットの一方又は両方の寸法が変更されたり、正極側及び負極側サブユニットの一方又は両方と共通サブユニットとの間にスペーサを介在させたりすることで、前記所定方向に関して、外装体の寸法等に応じて選択された所定寸法を有する電気部品ユニットを容易に構築できる。また、少なくとも１つのサブユニットが共通化されることで、蓄電装置の生産効率の向上を図ることができる。さらに、サブユニットの共通化によって、電気部品ユニットの初期設計及び設計変更の簡素化及び時間短縮を図ることができる。また、電気部品ユニットが複数のサブユニットに分割されることで、各サブユニットが小型化されるため、サブユニットの成形に用いられる成形機の小型化が図られる。
【００１８】
以上の発明において、前記サブユニットのそれぞれは、前記所定方向に隣接するサブユニットを前記所定方向に位置決めする位置決め部を備えることが好ましい。これにより、複数のサブユニットが相互に位置決めされることで、電気部品ユニットの寸法を容易に調整できる。
【００１９】
また、前記サブユニットのそれぞれが前記位置決め部を備える場合、前記位置決め部は、前記所定方向に隣接する２つの前記サブユニットのうち一方のサブユニットに設けられた第１係合部と、他方のサブユニットにおいて前記所定方向に並べて設けられ、前記第１係合部に選択的に係合される複数の第２係合部とを備えてもよい。この場合、複数の第２係合部に対して第１係合部を選択的に係合させることで、前記所定方向における隣接するサブユニット間の相対位置を、スペーサを用いることなく段階的に切り換えることができる。したがって、スペーサの廃止によって部品点数の低減を図りつつ、電気部品ユニットの寸法を容易に調整できる。
【００２０】
さらに、本発明は、
少なくとも１つの共通サブユニットを含む複数のサブユニットを備えた電気部品ユニットの所定方向の寸法として定められた複数の寸法の中からいずれか１つの寸法を選択し、
前記複数のサブユニットを前記所定方向に沿って１列に重ねることで、前記電気部品ユニットの前記所定方向の寸法を前記選択された寸法に調整し、
前記選択された寸法に調整された前記電気部品ユニットを、蓄電素子と共に外装体に収容する、蓄電装置の製造方法を提供する。
【００２１】
この発明によれば、電気部品ユニットを構成する複数のサブユニットを所定方向に１列に重ねることで、該所定方向における電気部品ユニットの寸法を、複数の寸法の中から選択した寸法に容易に調整できる。そのため、好適な寸法に調整された電気部品ユニットを外装体に適切に収容できる。また、複数のサブユニットの少なくとも１つが共通化されることで、蓄電装置の生産効率の向上を図ることができる。さらに、サブユニットの共通化によって、電気部品ユニットの初期設計及び設計変更の簡素化及び時間短縮を図ることができる。また、電気部品ユニットが複数のサブユニットに分割されることで、各サブユニットが小型化されるため、サブユニットの成形に用いられる成形機の小型化が図られる。
【発明の効果】
【００２２】
本発明によれば、電気部品ユニットを構成する複数のサブユニットの少なくとも１つが共通化されることで、蓄電装置の生産効率の向上を図ることができる。
【図面の簡単な説明】
【００２３】
【図１】本発明の第１実施形態に係る蓄電装置を示す斜視図。
【図２】図１に示す蓄電装置の分解斜視図。
【図３】外装体に蓄電素子が収容された状態における蓄電装置の分解斜視図。
【図４】外装体の内部を示す平面図。
【図５】電気部品ユニットの分解斜視図。
【図６】電気部品ユニットの分解平面図。
【図７】電気部品ユニットを下方から見た斜視図。
【図８】外装体の内部を示す図４のＡ−Ａ線断面図。
【図９】スペーサを省略した電気部品ユニットの分解平面図。
【図１０】図９に示す電気部品ユニットを備えた蓄電装置における外装体の内部を示す平面図。
【図１１】図１０に示す蓄電装置の外装体の内部を示す図１０のＢ−Ｂ線断面図。
【図１２】寸法が縮小されたスペーサを有する電気部品ユニットの分解平面図。
【図１３】本発明の第２実施形態に係る蓄電装置を示す分解斜視図。
【図１４】図１３に示す蓄電装置よりもサイズが大きな蓄電装置を示す分解斜視図。
【図１５】本発明の第３実施形態に係る蓄電装置の電気部品ユニットを示す断面図。
【発明を実施するための形態】
【００２４】
以下、添付図面を参照して、本発明に係る蓄電装置を実施形態毎に説明する。なお、以下の説明では、必要に応じて特定の方向や位置を示す用語（例えば、「上」、「下」、「右」、「左」、「前」、「後」、「側」、「端」を含む用語）を用いるが、それらの用語の使用は図面を参照した発明の理解を容易にするためであって、それらの用語の意味によって本発明の技術的範囲が限定されるものではない。つまり、それらの用語は、添付図面に示される蓄電装置の姿勢における方向を示すものであり、必ずしも実際の使用状態における方向と一致するものでない。また、以下の説明は、本質的に例示に過ぎず、本発明、その適用物、あるいは、その用途を制限することを意図するものではない。
【００２５】
［第１実施形態］
図１及び図２は、本発明の第１実施形態に係る蓄電装置としての組電池（電池モジュール）１Ａを示す。組電池１Ａは、蓄電素子としての単電池（電池セル）１０と、単電池１０を収容する外装体２Ａと、単電池１０と共に外装体２Ａに収容される電気部品ユニット３０Ａとを備えている。
【００２６】
図１及び図２に示す組電池１Ａの外装体２Ａは、所定の規格で定められた複数のサイズの中から選択的に決定されたサイズを有するものである。外装体２Ａは、上面が開口した箱形のケース本体３Ａと、該ケース本体３Ａの上面開口を塞ぐ蓋体７Ａとを備えている。ケース本体３Ａ及び蓋体７Ａの材料としては、例えば樹脂が用いられるが、これらの材料は特に限定されるものでない。
【００２７】
ケース本体３Ａは、水平に延びる所定の横方向Ｘに直角に配置されて互いに対向する一対の側面部３ａ，３ｂと、横方向Ｘに直角な水平方向に延びる所定の縦方向Ｙに直角に配置されて互いに対向する前面部３ｃ及び後面部３ｄと、上下方向Ｚに直角に配置された下面部３ｅとを備えている。下面部３ｅは略矩形とされている。一対の側面部３ａ，３ｂは、横方向Ｘにおける下面部３ｅの両縁部からそれぞれ立ち上がるように設けられている。前面部３ｃ及び後面部３ｄは、縦方向Ｙにおける下面部３ｅの両縁部からそれぞれ立ち上がるように設けられている。一対の側面部３ａ，３ｂ、前面部３ｃ及び後面部３ｄの上縁は、全体として矩形になるように相互に連なっており、全周に亘って上下方向Ｚの同じ高さに配置されている。
【００２８】
図２に示すように、ケース本体３Ａの内部には、複数の仕切壁４が横方向Ｘに間隔を空けて設けられている。各仕切壁４は、下面部３ｅから立ち上がるように設けられ（図８参照）、側面部３ａ，３ｂに平行に配置されている。仕切壁４の上縁は、上下方向Ｚにおいてケース本体３Ａの上縁よりも低く配置されている。横方向Ｘに隣接する仕切壁４間には、それぞれ単電池１０を収容する収容空間５が形成されている。
【００２９】
これにより、各収容空間５に収容された単電池１０は、一対の仕切壁４によって横方向Ｘに位置決めされると共に、隣接する単電池１０間が仕切壁４によって電気的に絶縁されている。また、各単電池１０は、前面部３ｃと後面部３ｄによって縦方向Ｙに位置決めされる。全ての収容空間５に単電池１０が収容されることにより、ケース本体３Ａ内には、複数の単電池１０が仕切壁４を挟んで横方向Ｘに重ねられた状態で収容される。
【００３０】
蓋体７Ａは、ケース本体３Ａの上面開口の形状及び大きさに合わせて、略矩形に形成されている。蓋体７Ａは、ケース本体３Ａの上面開口の周縁部に、例えば接着、溶接又はボルトで固定される。蓋体７Ａには、正極及び負極外部端子８，９が上面側に露出するように取り付けられている。正極外部端子８は、横方向Ｘにおける蓋体７Ａの一方側の端部近傍に設けられ、負極外部端子９は、他方側の端部近傍に設けられている。
【００３１】
本実施形態では、上記の複数のサイズのうち図１及び図２に示す組電池１Ａの外装体２Ａとは異なるサイズを有する組電池の外装体においても、ケース本体及び蓋体の縦方向Ｙ及び上下方向Ｚの寸法は図１及び図２に示す外装体２Ａと同じであり、ケース本体及び蓋体の横方向Ｘの寸法のみがサイズ毎に異なっている。
【００３２】
図１及び図２に示すサイズの外装体２Ａを有する組電池１Ａでは、ケース本体３Ａ内に９枚の仕切壁４が設けられることで、８個の単電池１０が外装体２Ａに収容されているが、他のサイズの外装体を有する組電池では、外装体の横方向Ｘの寸法が異なることにより、ケース本体内に設けられる仕切壁４の枚数、及び外装体に収容される単電池１０の個数が異なる。
【００３３】
なお、本実施形態では、外装体に収容される全ての単電池１０が同じものであり、外装体のサイズが異なっても同じ単電池１０が用いられるが、寸法の異なる複数の単電池１０が同じ外装体に収容されたり、外装体のサイズによって単電池１０の寸法が異なったりしてもよい。
【００３４】
また、本実施形態では、外装体のサイズによって、収容される単電池１０の個数が異なるが、外装体のサイズによって、収容される単電池１０の寸法を異ならせてもよい。さらに、本実施形態では、横方向Ｘに隣接する単電池１０間に仕切壁４が介在するが、ケース本体３Ａにおいて仕切壁４を廃止して、ケース本体３Ａとは別体のセパレートプレートを単電池１０間に介在させたり、単電池１０同士が仕切壁やセパレートプレートを介することなく直接接するようにしたりしてもよい。またさらに、本実施形態では、単電池１０が１列に並べて配置されるが、単電池１０は複数列に並べて配置されてもよい。
【００３５】
図２に示される単電池１０は、例えば、リチウムイオン二次電池のような非水電解質二次電池である。単電池１０の上面には、長手方向両端部に正極端子１１と負極端子１２が設けられ、長手方向中央部に安全弁１４が設けられている。単電池１０の各端子１１，１２は、別の単電池１０の端子１１，１２にバスバー２６，２７を介して電気的に接続されている。図２に示すサイズの組電池１Ａにおいて、８個の単電池１０がバスバー２６，２７を介して電気的に接続されることによって、横方向Ｘに隣接する一対の単電池１０からなる並列回路が４組形成されると共に、これらの並列回路同士は直列に接続されている。
【００３６】
横方向Ｘの最も一端側（図２の左側）に配置される２個の単電池１０の負極端子１２は、バスバー２７及び後述の電気部品７０，７１を介して負極外部端子９に接続され、横方向Ｘの最も他端側（図２の右側）に配置される２個の単電池１０の正極端子１１は、バスバー２７及び後述の電気部品７４，７５，７６，７７を介して正極外部端子８に接続される。
【００３７】
このように単電池１０の端子１１，１２を外部端子８，９側に接続するために用いられる各バスバー２７は、単電池１０の端子１１，１２の上面に沿って横方向Ｘに延びるように配置される第１接合面部２７ａと、第１接合面部２７ａの横方向Ｘの先端部から立ち上がる立ち上がり面部２７ｂと、立ち上がり面部２７ｂの上端部から横方向Ｘに延びるように配置される第２接合面部２７ｃと、第２接合面部２７ｃから下方に突出したねじ部２７ｄ（図８参照）とを備えている。
【００３８】
複数のバスバー２６，２７は、バスバーフレーム２０Ａによって一体的に支持される。バスバーフレーム２０Ａは、略矩形の板状部材である。バスバーフレーム２０Ａは、上下方向Ｚに直角に配置された姿勢で外装体２Ａに収容される。バスバーフレーム２０Ａは例えば樹脂からなるが、バスバーフレーム２０Ａの材料は特に限定されるものでない。
【００３９】
バスバーフレーム２０Ａは、ケース本体３Ａ内において単電池１０の上面に載置される。バスバーフレーム２０Ａには、単電池１０の端子１１，１２の位置に合わせて複数のバスバー用開口部２２が設けられており、単電池１０の安全弁１４の位置に合わせてガス排出用開口部２４が設けられている。これにより、単電池１０の上面にバスバーフレーム２０Ａが載置された状態において、バスバー用開口部２２に単電池１０の端子１１，１２が臨むように配置され、ガス排出用開口部２４に安全弁１４が臨むように配置される。
【００４０】
バスバー用開口部２２に臨む単電池１０の端子１１，１２には、バスバー２６，２７が例えば溶接によって固定される。各バスバー用開口部２２の内周部には、単電池１０の上面と端子１１，１２との間を絶縁する上部ガスケット１３が係合される。
【００４１】
バスバーフレーム２０Ａは、横方向Ｘ及び縦方向Ｙに関して、ケース本体３Ａの内部空間と略同じ長さを有する。これにより、バスバーフレーム２０Ａは、ケース本体３Ａの内部に隙間無く収められる。したがって、ケース本体３Ａに収容されたバスバーフレーム２０Ａの横方向Ｘの両端部は、ケース本体３Ａの側面部３ａ，３ｂの内面にそれぞれ当接し（図８参照）、縦方向Ｙの両端部は、ケース本体３Ａの前面部３ｃ及び後面部３ｄの内面にそれぞれ当接する。
【００４２】
このように、バスバーフレーム２０Ａの横方向Ｘ及び縦方向Ｙの寸法は、ケース本体３Ａに合わせた寸法とされている。つまり、ケース本体と同様、バスバーフレームの横方向Ｘの寸法は、外装体のサイズ毎に異なり、縦方向Ｙの寸法及び上下方向Ｚの厚みは、外装体のサイズによらず均一とされている。
【００４３】
図３に示すように、電気部品ユニット３０Ａは、複数の電気部品７０，７１，７２，７３，７４，７５，７６，７７（７０〜７７）をユニット化したものである。本実施形態では、電気部品７０〜７７として、シャント抵抗器７１、制御基板７２、コネクタ７３、リレーユニット７５、ヒューズ７７、負極外部端子９に電気的に接続されるバスバー７０、正極外部端子８に電気的に接続されるバスバー７４、リレーユニット７５とヒューズ７７とを電気的に接続するバスバー７６が設けられている。
【００４４】
電気部品ユニット３０Ａは、ケース本体３Ａに先に収容された単電池１０及びバスバーフレーム２０Ａ及びバスバー２６，２７の上側からケース本体３Ａ内に挿入される。その後、ケース本体３Ａの上面開口が蓋体７Ａで閉じられることにより、外装体２Ａに電気部品ユニット３０Ａが収容される。この収容状態において、電気部品ユニット３０Ａは、上下方向Ｚにおいて単電池１０及びバスバーフレーム２０Ａと蓋体７Ａとの間に配置される（図８参照）。
【００４５】
電気部品ユニット３０Ａは、全体として扁平な略矩形のユニットである。電気部品ユニット３０Ａは、上下方向Ｚに直角に配置された姿勢で外装体２Ａに収容される。電気部品ユニット３０Ａは、横方向Ｘ及び縦方向Ｙに関して、ケース本体３Ａの内部空間と略同じ長さを有する。
【００４６】
これにより、図４に示すように、電気部品ユニット３０Ａは、横方向Ｘ及び縦方向Ｙにおける隙間が生じることなくケース本体３Ａの内部に収められる。したがって、ケース本体３Ａに収容された電気部品ユニット３０Ａの横方向Ｘの両端部は、ケース本体３Ａの側面部３ａ，３ｂの内面にそれぞれ当接し、縦方向Ｙの両端部は、ケース本体３Ａの前面部３ｃ及び後面部３ｄの内面にそれぞれ当接する。
【００４７】
このように、電気部品ユニット３０Ａの横方向Ｘ及び縦方向Ｙの寸法Ｌｘ，Ｌｙは、ケース本体３Ａに合わせた寸法とされている。つまり、電気部品ユニットの横方向Ｘの寸法Ｌｘは、ケース本体と同様、外装体のサイズ毎に異なり、図４に示される電気部品ユニット３０Ａは、横方向Ｘに関して、ケース本体３Ａの寸法に合わせて複数の寸法Ｌｘの中から選択された所定寸法Ｌ１を有する。また、電気部品ユニットの縦方向Ｙの寸法Ｌｙ及び上下方向Ｚの寸法Ｌｚ（図８参照）は、外装体のサイズによらず均一とされている。
【００４８】
図５及び図６に示すように、電気部品ユニット３０Ａは、複数のサブユニット３１，３２，３３に分割されている。具体的に、電気部品ユニット３０Ａを構成するサブユニットは、第１共通サブユニット３１、第２共通サブユニット３２、及びスペーサ３３である。
【００４９】
第１共通サブユニット３１、スペーサ３３、第２共通サブユニット３２は、横方向Ｘに沿ってこの順で１列に重ねて配置される。このように横方向Ｘに重ねられることで形成される第１共通サブユニット３１、スペーサ３３、第２共通サブユニット３２の列の全長は、電気部品ユニット３０Ａの上記の所定寸法Ｌ１（図４及び図８参照）となる。
【００５０】
第１及び第２共通サブユニット３１，３２は、電気部品ユニット３０Ａの横方向Ｘの寸法Ｌｘとしていずれの寸法が選択された場合にも用いられる。電気部品７０〜７７は、第１及び第２共通サブユニット３１，３２に設けられている。第１及び第２共通サブユニット３１，３２の具体的な構成は次の通りである。
【００５１】
第１共通サブユニット３１は、バスバー７０、シャント抵抗器７１、制御基板７２及びコネクタ７３と、これらの電気部品７０，７１，７２，７３（７０〜７３）を保持するホルダ４０とを備えている。
【００５２】
ホルダ４０は、電気部品ユニット３０Ａの横方向Ｘの一方側の端部を構成するベース部４１と、該ベース部４１から横方向Ｘの他方側へ張り出す庇部４２とを備えている。
【００５３】
ベース部４１は、縦方向Ｙに細長い形状を有する。ベース部４１は、横方向Ｘに直角に配置されて互いに対向する一対の長側面部４１ａ，４１ｂと、縦方向Ｙに直角に配置された互いに対向する一対の短側面部４１ｃ，４１ｄと、上下方向Ｚに直角に配置された上面部４１ｅとを備えている。
【００５４】
図４に示すように、ベース部４１の一方の短側面部４１ｃは、ケース本体３Ａの前面部３ｃに当接し、他方の短側面部４１ｄは、ケース本体３Ａの後面部３ｄに当接する。また、ベース部４１の一方の長側面部４１ａは、ケース本体３Ａの一方の側面部３ａに当接し、他方の長側面部４１ｂは、スペーサ３３に当接することで、スペーサ３３を横方向Ｘに位置決めする位置決め部として機能する。
【００５５】
図５及び図６に示すように、上面部４１ｅには凹部４１ｆが設けられており、該凹部４１ｆに、バスバー７０の一端部とシャント抵抗器７１が収容されている。バスバー７０の一端部は、シャント抵抗器７１の一端部と共に、ボルト８１によって凹部４１ｆの底部４１ｇ（図７参照）に固定されている。バスバー７０の他端部は、組電池１Ａの負極外部端子９（図４参照）に接合される。シャント抵抗器７１の他端部は、凹部４１ｆの底部４１ｇに設けられた開口部４１ｈ（図６及び図７参照）に臨むように配置され、上述したバスバー２７のねじ部２７ｄに螺合されたボルト８２によって、バスバー２７の第２接合面部２７ｃに接合される（図８参照）。
【００５６】
庇部４２は、ベース部４１の上面部４１ｅと同一面上に、上面部４１ｅに連なるように設けられている。庇部４２は、縦方向Ｙにおいてベース部４１よりも短く形成されており、縦方向Ｙにおいてベース部４１の中央部よりも一方側にずらして配置されている。庇部４２の上面には制御基板７２が取り付けられている。制御基板７２の上面には、各種センサに接続されるコネクタ７３が設けられている。
【００５７】
第２共通サブユニット３２は、バスバー７４、リレーユニット７５、バスバー７６及びヒューズ７７と、これらの電気部品７４，７５，７６，７７（７４〜７７）を保持するホルダ５０とを備えている。
【００５８】
ホルダ５０は、平面視で略矩形の全体形状を有する。ホルダ５０は、横方向Ｘに直角に配置されて互いに対向する一対の側面部５０ａ，５０ｂと、縦方向Ｙに直角に配置された互いに対向する一対の側面部５０ｃ，５０ｄと、上下方向Ｚに直角に配置された上面部５０ｅとを備えている。
【００５９】
図４に示すように、ホルダ５０の縦方向Ｙの一方側に配置される側面部５０ｃは、ケース本体３Ａの前面部３ｃに当接し、他方側に配置される側面部５０ｄは、ケース本体３Ａの後面部３ｄに当接する。また、ホルダ５０の横方向Ｘの一方側に配置される側面部５０ａは、ケース本体３Ａの一方の側面部３ａに当接し、他方側に配置される側面部５０ｂは、スペーサ３３に当接することで、スペーサ３３を横方向Ｘに位置決めする位置決め部として機能する。
【００６０】
図６に示すように、スペーサ３３に当接するホルダ５０の側面部５０ｂには、スペーサ３３に係合可能な例えば一対の係合凸部５４が突出して設けられている。
【００６１】
図５及び図６に示すように、上面部５０ｅには、相互に連通された第１、第２及び第３凹部５０ｆ，５０ｇ，５０ｈが設けられている。これらの凹部５０ｆ，５０ｇ，５０ｈの底部５０ｊには、内面にねじ切りされた複数のねじ部５０ｌ（図７参照）が設けられている。
【００６２】
第１凹部５０ｆは、上面部５０ｅにおける縦方向Ｙの一端側（図６の上側）において横方向Ｘに延びるように細長く形成されている。第１凹部５０ｆには、ヒューズ７７とバスバー７６が収容されている。ヒューズ７７の一端部は、凹部５０ｆ，５０ｇ，５０ｈの底部５０ｊに設けられた開口部５０ｋに臨むように配置され、上述したバスバー２７のねじ部２７ｄに螺合されたボルト８６によって、バスバー２７の第２接合面部２７ｃに接合される（図８参照）。
【００６３】
図５〜図８に示すように、ヒューズ７７の他端部は、バスバー７６の一端部と共に、ホルダ５０のねじ部５０ｌ（図７及び図８参照）に螺合されたボルト８５によってホルダ５０に固定されている。バスバー７６の他端部は、リレーユニット７５のタブ７５ａと共に、ホルダ５０のねじ部５０ｌに螺合されたボルト８４によってホルダ５０に固定されている。
【００６４】
第２凹部５０ｇは、第１凹部５０ｆよりも縦方向Ｙの中央部側に配置されている。第２凹部５０ｇには、リレーユニット７５とバスバー７４の一端側が収容されている。バスバー７４の一端部は、リレーユニット７５のタブ７５ｂと共に、ホルダ５０のねじ部５０ｌ（図７及び図８参照）に螺合されたボルト８３によってホルダ５０に固定されている。バスバー７４の他端部は、組電池１Ａの正極外部端子８（図４参照）に接合される。
【００６５】
第３凹部５０ｈは、縦方向Ｙにおいて、第２凹部５０ｇを挟んで第１凹部５０ｆとは反対側に配置されている。第３凹部５０ｈは、横方向Ｘの一方の側面部５０ｂ側、及び縦方向Ｙの一方の側面部５０ｃ側に開放されている。
【００６６】
スペーサ３３は、電気部品ユニットの横方向Ｘの寸法Ｌｘに応じて用いられるものである。本実施形態では、横方向Ｘに関して、電気部品ユニットの寸法Ｌｘに応じて異なる寸法を有するスペーサ３３が用いられ、電気部品ユニットの寸法Ｌｘが最も小さな寸法Ｌ２（図１０及び図１１参照）であるときは、スペーサ３３が省略される。
【００６７】
なお、本実施形態では、スペーサ３３が用いられる場合、スペーサ３３の個数は常に１つとされるが、電気部品ユニットの寸法Ｌｘに応じて、複数のスペーサ３３が用いられるようにしてもよい。この場合、スペーサ３３の個数を調整することで、電気部品ユニットの寸法Ｌｘを調整できる。複数のスペーサ３３が用いられる場合、横方向Ｘに関して、全てのスペーサ３３を同じ寸法としてもよいし、寸法の異なる複数種類のスペーサを用いてもよい。
【００６８】
スペーサ３３は、上下方向Ｚに直角に配置される略矩形のプレート部６０と、該プレート部６０の周縁部に沿って設けられた方形枠状のフレーム部６１とを備えている。フレーム部６１は、横方向Ｘに直角に配置されて互いに対向する一対の側面部６２，６４と、縦方向Ｙに直角に配置されて互いに対向する一対の側面部６３，６５とを備えている。スペーサ３３は、横方向Ｘにおいて第１共通サブユニット３１のホルダ４０のベース部４１と第２共通サブユニット３２のホルダ５０との間に配置される。
【００６９】
図４に示すように、スペーサ３３の縦方向Ｙの一方側に配置される側面部６３は、ケース本体３Ａの前面部３ｃに当接し、他方側に配置される側面部６５（図５及び図６参照）は、ケース本体３Ａの後面部３ｄに当接する。また、スペーサ３３の横方向Ｘの一方側に配置される側面部６２は、第１共通サブユニット３１のベース部４１の長側面部４１ｂに当接し、スペーサ３３の横方向Ｘの他方側に配置される側面部６４は、第２共通サブユニット３２のホルダ５０の側面部５０ｂ（図５及び図６参照）に当接する。
【００７０】
これにより、横方向Ｘにおいて、スペーサ３３の一方の側面部６２は、第１共通サブユニット３１とスペーサ３３を横方向Ｘにおいて相互に位置決めする位置決め部として機能し、スペーサ３３の他方の側面部６４は、第２共通サブユニット３２とスペーサ３３を横方向Ｘにおいて相互に位置決めする位置決め部として機能する。
【００７１】
図６に示すように、第１共通サブユニット３１のベース部４１に位置決めされるスペーサ３３の側面部６２には、ベース部４１に係合可能な例えば一対の係合凸部６６が突出して設けられている。図４及び図８に示すように、係合凸部６６は、ベース部４１の長側面部４１ｂに設けられた貫通穴４４に挿通されることで長側面部４１ｂを横方向Ｘに貫通するように設けられる。係合凸部６６の先端部は、自然状態において貫通穴４４よりも大径とされており、これにより、貫通穴４４からの係合凸部６６の抜け止めが果たされている。
【００７２】
図５に示すように、第２共通サブユニット３２のホルダ５０に位置決めされるスペーサ３３の側面部６４には、例えば一対の貫通穴６８が設けられている。また、図６及び図７に示すように、スペーサ３３のプレート部６０の周縁部における側面部６４の各貫通穴６８に隣接する部分には、切欠部６０ａが設けられている。
【００７３】
図７及び図８に示すように、スペーサ３３の側面部６４の各貫通穴６８には、第２共通サブユニット３２の係合凸部６６が挿通される。これによりスペーサ３３の側面部６４を横方向Ｘに貫通した係合凸部６６の先端部は、自然状態において貫通穴６８よりも大径とされており、これにより、貫通穴６８からの係合凸部６６の抜け止めが果たされている。
【００７４】
以上のように第１共通サブユニット３１、スペーサ３３及び第２共通サブユニット３２が横方向Ｘに相互に位置決めされることにより、電気部品ユニット３０Ａの横方向Ｘの寸法Ｌｘを所定寸法Ｌ１に容易に調整できる。
【００７５】
図３、図４及び図８に示すように、第１共通サブユニット３１、スペーサ３３及び第２共通サブユニット３２が相互に係合された状態において、第１共通サブユニット３１のベース部４１から横方向Ｘに延びる庇部４２は、スペーサ３３及び第２共通サブユニット３２の一部を上側から覆うように配置される。つまり、庇部４２は、横方向Ｘにおいて、スペーサ３３の全幅と、第２共通サブユニット３２の一部とにオーバラップして配置される。
【００７６】
このように横方向Ｘにおいてスペーサ３３及び第２共通サブユニット３２とオーバラップするように配置された庇部４２は、制御基板７２及びコネクタ７３の取付けスペースとして利用されている。これにより、横方向Ｘにおける第１共通サブユニット３１のベース部４１の寸法の縮小を図りつつ、第１共通サブユニット３１における制御基板７２及びコネクタ７３の取付けスペースの拡大を図ることができる。
【００７７】
図９〜図１１に示すように、複数のサイズの中から最小のサイズが選択された外装体２Ｂを備えた組電池１Ｂでは、外装体２Ｂのサイズに合わせて、電気部品ユニット３０Ｂの横方向Ｘの寸法Ｌｘとして最小寸法Ｌ２が選択される。
【００７８】
図１１に示すように、最小サイズを有する外装体２Ｂでは、上述した外装体２Ａ（図２及び図８参照）に比べて横方向Ｘの寸法が小さいことにより、ケース本体３Ｂの仕切壁４の枚数及び単電池１０の個数が減少されている。具体的には、例えば、仕切壁４は５枚、単電池１０は４個とされている。また、横方向Ｘに関して、バスバーフレーム２０Ｂの寸法も、外装体２Ｂのサイズに合わせて縮小されている。
【００７９】
図９に示すように、最小寸法Ｌ２を有する電気部品ユニット３０Ｂでは、上述のスペーサ３３（図２〜図８参照）は省略され、上述の構成を有する第１共通サブユニット３１と第２共通サブユニット３２とで電気部品ユニット３０Ｂが構成される。
【００８０】
図１０及び図１１に示すように、第１及び第２共通サブユニット３１，３２は、第１共通サブユニット３１のベース部４１の長側面部４１ｂと、第２共通サブユニット３２のホルダ５０の側面部５０ｂとが当接することで、横方向Ｘにおいて相互に位置決めされる。
【００８１】
第１共通サブユニット３１のベース部４１の長側面部４１ｂに設けられた一対の貫通穴４４には、それぞれ第２共通サブユニット３２の係合凸部５４が挿通されており、これにより、一対の係合凸部５４がベース部４１の長側面部４１ｂを横方向Ｘに貫通している。これによって、第１共通サブユニット３１と第２共通サブユニット３２は、相互に係合されている。
【００８２】
この係合状態において、第１共通サブユニット３１のベース部４１から横方向Ｘに延びる庇部４２は、第２共通サブユニット３２を上側から覆うように配置される。庇部４２並びにこれに取り付けられた制御基板７２及びコネクタ７３は、第２共通サブユニット３２及びこれに取り付けられた各種電気部品７４〜７７と横方向Ｘにオーバラップして配置される。また、第１共通サブユニット３１のベース部４１と第２共通サブユニット３２との間にスペーサ３３が介在しないことにより、ベース部４１に取り付けられたシャント抵抗器７１及びバスバー７０は、第２共通サブユニット３２に取り付けられた各種電気部品７４〜７７に対して横方向Ｘに接近して配置される。
【００８３】
このように、電気部品ユニット３０Ｂに設けられた全ての電気部品７０〜７７が横方向Ｘにコンパクトに配置されることで、所望の電気部品７０〜７７を全て電気部品ユニット３０Ｂに設けつつ、電気部品ユニット３０Ｂを最小寸法Ｌ２に形成することができる。
【００８４】
図２〜図８に示す第１サイズの電気部品ユニット３０Ａ、及び、図９〜図１１に示す第２サイズの電気部品ユニット３０Ｂと比べて、横方向Ｘの寸法Ｌｘが異なる電気部品ユニットでは、第１サイズの電気部品ユニット３０Ａのスペーサ３３と比べて横方向Ｘの寸法が異なるスペーサが用いられる。
【００８５】
図１２は、横方向Ｘの寸法Ｌｘが第２サイズの寸法（最小寸法）Ｌ２（図１０及び図１１参照）よりも大きく、第１サイズの寸法Ｌ１（図４及び図８参照）よりも小さい第３サイズの電気部品ユニット３０Ｃを示す。この電気部品ユニット３０Ｃでは、第１サイズの電気部品ユニット３０Ａのスペーサ３３（図６参照）に比べて横方向Ｘの寸法が小さなスペーサ３３Ｃが用いられる。
【００８６】
このスペーサ３３は、横方向Ｘの寸法を除けば、第１サイズの電気部品ユニット３０Ａのスペーサ３３と同様の構成を有している。したがって、スペーサ３３Ｃは、第１及び第２共通サブユニット３１，３２に対して上記と同様に位置決め及び係合される。このように第１及び第２共通サブユニット３１，３２及びスペーサ３３Ｃが相互に位置決めされることで、電気部品ユニット３０Ｃの横方向Ｘの寸法は、第１サイズの寸法Ｌ１（図４及び図８参照）よりも小さく、第２サイズの寸法（最小寸法）Ｌ２（図１０及び図１１参照）よりも大きな所定寸法となる。
【００８７】
以上の第１実施形態によれば、電気部品ユニット３０Ａ，３０Ｂ，３０Ｃを構成する第１及び第２共通サブユニット３１，３２が横方向Ｘに重ねられ、外装体のサイズに応じた寸法のスペーサ３３，３３Ｃが第１及び第２共通サブユニット３１，３２間に介在されたり、スペーサが省略されたりすることで、横方向Ｘに関して、外装体のサイズに応じて選択された所定寸法Ｌｘを有する電気部品ユニット３０Ａ，３０Ｂ，３０Ｃを容易に構築できる。
【００８８】
また、電気部品ユニット３０Ａ，３０Ｂ，３０Ｃの構成要素として、第１及び第２共通サブユニット３１，３２を共通化できる。スペーサ３３，３３Ｃとしては、横方向Ｘの寸法が異なる複数種類を用意する必要があるが、これらのスペーサにおける寸法以外の構成は共通しており、簡素であることから、スペーサの生産性の悪化は抑制される。
【００８９】
さらに、電気部品７０〜７７が設けられる第１及び第２共通サブユニット３１，３２が共通化されることで、電気部品ユニットの寸法としていずれの寸法が選択された場合にも、同じ電気部品７０〜７７が同じサブユニット３１，３２に組み付けられることになり、スペーサ３３，３３Ｃには電気部品を組み付ける必要がない。そのため、電気部品ユニットの寸法に応じて異なるスペーサを用いる点を除けば、常に同様の態様で電気部品ユニットを組み立てることができる。
【００９０】
したがって、電気部品ユニット３０Ａ，３０Ｂ，３０Ｃの生産性を高めることができ、これにより、組電池１Ａの生産効率の向上を図ることができる。また、第１及び第２共通サブユニット３１，３２が共通化されることで、これらの量産化が可能になり、これにより、生産コストの低減を図ることができる。
【００９１】
さらに、第１及び第２共通サブユニット３１，３２の共通化によって、電気部品ユニット３０Ａ，３０Ｂ，３０Ｃの初期設計及び設計変更の簡素化及び時間短縮を図ることができる。
【００９２】
また、電気部品ユニット３０Ａ，３０Ｂ，３０Ｃが２つ又は３つのサブユニット３１，３２，３３，３３Ｃに分割されることで、各サブユニットを横方向Ｘにコンパクトに形成できるため、第１及び第２共通サブユニット３１，３２のホルダ４０，５０及びスペーサ３３，３３Ｃの成形に用いられる成形機の小型化が図られる。
【００９３】
なお、第１実施形態において、電気部品ユニットは、第１及び第２共通サブユニット３１，３２及びスペーサ３３，３３Ｃ以外の何らかのサブユニットを更に備えてもよい。
【００９４】
［第２実施形態］
図１３及び図１４の概略図を参照しながら、本発明の第２実施形態に係る蓄電装置としての組電池２０１Ａ，２０１Ｂについて説明する。
【００９５】
第１実施形態と同様、組電池２０１Ａ，２０１Ｂは、蓄電素子としての単電池（図示せず）と、単電池を収容する外装体２０２Ａ，２０２Ｂと、単電池と共に外装体２０２Ａ，２０２Ｂに収容される電気部品ユニット２３０Ａ，２３０Ｂとを備えている。
【００９６】
外装体のサイズは、所定の規格に従って複数定められており、図１３及び図１４に示す各組電池２０１Ａ，２０１Ｂの外装体２０２Ａ，２０２Ｂは、前記複数のサイズの中から選択的に決定されたサイズを有するものである。
【００９７】
外装体２０２Ａ，２０２Ｂは、上面が開口した箱形のケース本体２０３Ａ，２０３Ｂと、該ケース本体２０３Ａ，２０３Ｂの上面開口を塞ぐ蓋体２０７Ａ，２０７Ｂとを備えている。ケース本体２０３Ａ，２０３Ｂ及び蓋体２０７Ａ，２０７Ｂの材料としては、例えば樹脂が用いられるが、これらの材料は特に限定されるものでない。
【００９８】
ケース本体２０３Ａ，２０３Ｂは、第１実施形態と同様、水平に延びる所定の横方向Ｘに直角に配置されて互いに対向する一対の側面部２０３ａ，２０３ｂと、横方向Ｘに直角な水平方向に延びる所定の縦方向Ｙに直角に配置されて互いに対向する前面部２０３ｃ及び後面部２０３ｄと、上下方向Ｚに直角に配置された略矩形の下面部２０３ｅとを備えている。このケース本体２０３Ａ，２０３Ｂに、複数の角形の単電池が横方向Ｘに重ねられた状態で収容される。
【００９９】
蓋体２０７Ａ，２０７Ｂは、ケース本体２０３Ａ，２０３Ｂの上面開口の形状及び大きさに合わせて、略矩形に形成されている。蓋体２０７Ａ，２０７Ｂは、ケース本体２０３Ａ，２０３Ｂの上面開口の周縁部に、例えば接着、溶接又はボルトで固定される。蓋体２０７Ａ，２０７Ｂには、正極及び負極外部端子２０８，２０９が上面側に露出するように取り付けられている。正極外部端子２０８は、横方向Ｘにおける蓋体２０７Ａ，２０７Ｂの一方側の端部近傍に設けられ、負極外部端子２０９は、他方側の端部近傍に設けられている。
【０１００】
図１３及び図１４に示す外装体２０２Ａ，２０２Ｂを含めて、いずれのサイズの外装体においても、ケース本体及び蓋体の縦方向Ｙ及び上下方向Ｚの寸法は均一とされている。ケース本体及び蓋体の横方向Ｘの寸法は、外装体のサイズ毎に異なり、図１４に示すケース本体２０３Ｂ及び蓋体２０７Ｂは、図１３に示すケース本体２０３Ａ及び蓋体２０７Ａよりも大きな横方向Ｘの寸法を有する。
【０１０１】
第２実施形態では、外装体のサイズに応じて、収容される単電池の個数が異なるが、収容される単電池の大きさを異ならせてもよい。
【０１０２】
外装体２０２Ａ，２０２Ｂ内において、単電池の上側には、単電池の端子間を接続するバスバー（図示せず）を保持するバスバーフレーム２２０Ａ，２２０Ｂが収容される。バスバーフレーム２２０Ａ，２２０Ｂは、略矩形の板状部材であり、上下方向Ｚに直角に配置された姿勢で外装体２０２Ａ，２０２Ｂに収容される。バスバーフレーム２２０Ａ，２２０Ｂは例えば樹脂からなるが、バスバーフレーム２２０Ａ，２２０Ｂの材料は特に限定されるものでない。
【０１０３】
図示は省略するが、バスバーフレーム２２０Ａ，２２０Ｂには、第１実施形態のバスバーフレーム２０Ａ（図２参照）と同様、複数のバスバー用開口部及びガス排出用開口部が設けられている。
【０１０４】
バスバーフレーム２２０Ａ，２２０Ｂの横方向Ｘ及び縦方向Ｙの寸法は、ケース本体２０３Ａ，２０３Ｂに合わせた寸法とされている。つまり、ケース本体と同様、バスバーフレームの横方向Ｘの寸法は、外装体のサイズ毎に異なり、縦方向Ｙの寸法及び上下方向Ｚの厚みは、外装体のサイズによらず均一とされている。
【０１０５】
電気部品ユニット２３０Ａ，２３０Ｂは、複数の電気部品をユニット化したものである。電気部品ユニット２３０Ａ，２３０Ｂは、ケース本体２０３Ａ，２０３Ｂに先に収容された単電池及びバスバーフレーム２２０Ａ，２２０Ｂの上側からケース本体２０３Ａ，２０３Ｂ内に挿入される。その後、ケース本体２０３Ａ，２０３Ｂの上面開口が蓋体２０７Ａ，２０７Ｂで閉じられることにより、外装体２０２Ａ，２０２Ｂに電気部品ユニット２３０Ａ，２３０Ｂが収容される。
【０１０６】
電気部品ユニット２３０Ａ，２３０Ｂは、全体として扁平な略矩形のユニットである。電気部品ユニット２３０Ａ，２３０Ｂは、上下方向Ｚに直角に配置された姿勢で外装体２０２Ａ，２０２Ｂに収容される。電気部品ユニット２３０Ａ，２３０Ｂは、横方向Ｘ及び縦方向Ｙに関して、ケース本体２０３Ａ，２０３Ｂの内部空間と略同じ長さを有し、これにより、ケース本体２０３Ａ，２０３Ｂの内部に隙間無く収められる。
【０１０７】
電気部品ユニット２３０Ａ，２３０Ｂの横方向Ｘ及び縦方向Ｙの寸法Ｌｘ，Ｌｙは、ケース本体２０３Ａ，２０３Ｂに合わせた寸法とされている。つまり、電気部品ユニットの横方向Ｘの寸法Ｌｘは、ケース本体と同様、外装体のサイズ毎に異なり、図１３に示される電気部品ユニット２３０Ａは、横方向Ｘに関して、ケース本体２０３Ａの寸法に合わせて複数の寸法Ｌｘの中から選択された所定寸法Ｌ３を有し、図１４に示される電気部品ユニット２３０Ｂは、横方向Ｘに関して、ケース本体２０３Ｂの寸法に合わせて複数の寸法Ｌｘの中から選択され、図１３の寸法Ｌ３よりも大きな別の所定寸法Ｌ４を有する。また、電気部品ユニットの縦方向Ｙの寸法Ｌｙ及び上下方向Ｚの寸法Ｌｚは、外装体のサイズによらず均一とされている。
【０１０８】
電気部品ユニット２３０Ａ，２３０Ｂは、複数のサブユニットに分割されている。具体的に、電気部品ユニット２３０Ａ，２３０Ｂを構成するサブユニットは、共通サブユニット２３１、正極側サブユニット２３２Ａ，２３２Ｂ及び負極側サブユニット２３３Ａ，２３３Ｂである。
【０１０９】
正極側サブユニット２３２Ａ，２３２Ｂ、共通サブユニット２３１、負極側サブユニット２３３Ａ，２３３Ｂは、横方向Ｘに沿ってこの順で１列に重ねて配置される。このように横方向Ｘに重ねられることで形成されるサブユニット２３１，２３２Ａ，２３２Ｂ，２３３Ａ，２３３Ｂの列の全長は、電気部品ユニット２３０Ａ，２３０Ｂの上記の所定寸法Ｌ３，Ｌ４となる。
【０１１０】
共通サブユニット２３１は、電気部品ユニット２３０Ａ，２３０Ｂの横方向Ｘの寸法Ｌｘとしていずれの寸法が選択された場合にも用いられる。共通サブユニット２３１には、例えば制御基板及びコネクタのような電気部品が設けられる。ただし、共通サブユニット２３１に設けられる電気部品の種類は特に限定されるものでない。
【０１１１】
正極側サブユニット２３２Ａ，２３２Ｂは、横方向Ｘにおいて共通サブユニット２３１の一方側に配置され、負極側サブユニット２３３Ａ，２３３Ｂは、横方向Ｘにおいて共通サブユニット２３１の他方側に配置される。正極側サブユニット２３２Ａ，２３２Ｂには、正極外部端子２０８に電気的に接続される金属部品が設けられ、負極側サブユニット２３３Ａ，２３３Ｂには、負極外部端子２０９に電気的に接続される金属部品が設けられる。正極側及び負極側サブユニット２３２Ａ，２３２Ｂ，２３３Ａ，２３３Ｂに設けられる金属部品の種類は特に限定されるものでないが、その具体例としては、バスバー、リレーユニット、ヒューズ及びシャント抵抗器などが挙げられる。
【０１１２】
共通サブユニット２３１としては、電気部品ユニット２３０Ａ，２３０Ｂの寸法に関わらず同じものが用いられ、これにより、構成部品の共通化が図られている。これに対して、正極側及び負極側サブユニット２３２Ａ，２３２Ｂ，２３３Ａ，２３３Ｂは、横方向Ｘに関して、電気部品ユニット２３０Ａ，２３０Ｂの寸法に応じて異なる寸法を有する。例えば、図１４に示す電気部品ユニット２３０Ｂの正極側サブユニット２３２Ｂ及び負極側サブユニット２３２Ｂは、横方向Ｘに関して、図１３に示す電気部品ユニット２３０Ａの正極側サブユニット２３２Ａ及び負極側サブユニット２３２Ａよりも大きな寸法を有する。
【０１１３】
これにより、スペーサを用いることなく、正極側及び負極側サブユニット２３２Ａ，２３２Ｂ，２３３Ａ，２３３Ｂ及び共通サブユニット２３１を横方向Ｘに重ねるだけで、電気部品ユニット２３０Ａ，２３０Ｂの横方向Ｘの寸法を調整できる。
【０１１４】
なお、正極側及び負極側サブユニット２３２Ａ，２３２Ｂ，２３３Ａ，２３３Ｂの縦方向Ｙ及び上下方向Ｚの寸法は、電気部品ユニット２３０Ａ，２３０Ｂの寸法に関わらず均一とされている。
【０１１５】
横方向Ｘに隣接して配置される正極側サブユニット２３２Ａ，２３２Ｂと共通サブユニット２３１は、相互に横方向Ｘに位置決めされるように接している。同様に、横方向Ｘに隣接して配置される負極側サブユニット２３３Ａ，２３３Ｂと共通サブユニット２３１も、相互に横方向Ｘに位置決めされるように接している。これらの位置決めのための具体的な構成は特に限定されるものでないが、例えば、第１実施形態と同様に、互いに隣接するサブユニットにおける横方向Ｘに対向する対向面同士を重ね合わせることで、これらのサブユニットを相互に位置決めしてもよい。
【０１１６】
以上の第２実施形態によれば、電気部品ユニット２３０Ａ，２３０Ｂを構成する共通サブユニット２３１、正極側サブユニット２３２Ａ，２３２Ｂ及び負極側サブユニット２３３Ａ，２３３Ｂが横方向Ｘに１列に重ねられ、横方向Ｘにおける正極側及び負極側サブユニット２３２Ａ，２３２Ｂ，２３３Ａ，２３３Ｂの各寸法が適宜変更されることで、横方向Ｘに関して、外装体２０２Ａ，２０２Ｂの寸法に応じて選択された所定寸法Ｌｘを有する電気部品ユニット２３０Ａ，２３０Ｂを容易に構築できる。
【０１１７】
また、電気部品ユニット２３０Ａ，２３０Ｂの構成要素として、共通サブユニット２３１を共通化できる。正極側サブユニット２３２Ａ，２３２Ｂ及び負極側サブユニット２３３Ａ，２３３Ｂとしては、横方向Ｘの寸法が異なる複数種類を用意する必要があるが、正極側及び負極側サブユニットのそれぞれにおいて、電気部品が設けられる部分の構成を共通化することは可能であり、これにより、正極側及び負極側サブユニットの生産性の悪化が抑制される。
【０１１８】
さらに、電気部品ユニット２３０Ａ，２３０Ｂの横方向Ｘの寸法としていずれの寸法が選択された場合にも、同じ電気部品を同じ場所に組み付けることで、寸法が異なる正極側及び負極側サブユニット２３２Ａ，２３２Ｂ，２３３Ａ，２３３Ｂを用いる点を除けば、常に同様の態様で電気部品ユニットを組み立てることができる。
【０１１９】
したがって、電気部品ユニット２３０Ａ，２３０Ｂの生産性を高めることができ、これにより、組電池２０１Ａ，２０１Ｂの生産効率の向上を図ることができる。
【０１２０】
さらに、共通サブユニット２３１の共通化によって、電気部品ユニット２３０Ａ，２３０Ｂの初期設計及び設計変更の簡素化及び時間短縮を図ることができる。
【０１２１】
また、電気部品ユニット２３０Ａ，２３０Ｂが３つのサブユニット２３１，２３２Ａ，２３２Ｂ，２３３Ａ，２３３Ｂに分割されることで、各サブユニットを横方向Ｘにコンパクトに形成できるため、各サブユニットの成形に用いられる成形機の小型化が図られる。
【０１２２】
さらに、横方向Ｘにおいて、正極側サブユニット２３２Ａ，２３２Ｂは、正極外部端子２０８と同じ側に配置され、負極側サブユニット２３３Ａ，２３３Ｂは、負極外部端子２０９と同じ側に配置されるため、正極側サブユニット２３２Ａ，２３２Ｂに設けられた電気部品を正極外部端子２０８に接続しやすく、負極側サブユニット２３３Ａ，２３３Ｂに設けられた電気部品を負極外部端子２０９に接続しやすい。
【０１２３】
なお、第２実施形態では、横方向Ｘに関して、電気部品ユニット２３０Ａ，２３０Ｂの寸法Ｌｘに応じて、正極側サブユニット２３２Ａ，２３２Ｂと負極側サブユニット２３３Ａ，２３３Ｂの両方の寸法が異なっているが、一方のサブユニットを共通化して、他方のサブユニットのみの寸法を異ならせるようにしてもよい。また、正極側サブユニット２３２Ａ，２３２Ｂと負極側サブユニット２３３Ａ，２３３Ｂの両方を共通化して、これらのサブユニットの両方又は一方と共通サブユニット２３１との間に、寸法調整用のスペーサを介在させてもよい。
【０１２４】
さらに、第２実施形態において、電気部品ユニットは、共通サブユニット２３１、正極側サブユニット２３２Ａ，２３２Ｂ及び負極側サブユニット２３３Ａ，２３３Ｂ以外の何らかのサブユニットを更に備えてもよい。
【０１２５】
［第３実施形態］
図１５の概略図を参照しながら、本発明の第３実施形態に係る蓄電装置としての組電池に設けられる電気部品ユニット３３０について説明する。なお、組電池における電気部品ユニット３３０以外の構成は、第１実施形態と同様であるため、その図示及び説明を省略する。
【０１２６】
電気部品ユニット３３０の横方向Ｘの寸法Ｌｘは、複数の寸法の中から外装体（図示せず）の寸法に応じて選択された所定寸法を有する。電気部品ユニット３３０は、第１共通サブユニット３３１と第２共通サブユニット３３２を備えている。第１共通サブユニット３３１と第２共通サブユニット３３２は、横方向Ｘに並べて配置される。第１共通サブユニット３３１と第２共通サブユニット３３２としては、電気部品ユニット３３０の寸法Ｌｘとしていずれの寸法が選択された場合にも同じものが用いられる。
【０１２７】
第１共通サブユニット３３１は、例えば制御基板７２を含む電気部品と、該電気部品を保持するホルダ３４０とを備えている。ただし、第１共通サブユニット３３１に設けられる電気部品の種類及び個数は特に限定されるものでない。
【０１２８】
ホルダ３４０は、電気部品ユニット３３０における横方向Ｘの一端側に配置されるベース部３４１と、ベース部３４１の上端部から横方向Ｘの他方側へ延びる庇部３４２とを備えている。ベース部３４１は、縦方向Ｙに細長い形状を有する。庇部３４２の上面側には制御基板７２が取り付けられている。庇部３４２の下面には、第１係合部としての係合凸部３４４が設けられている。係合凸部３４４は、横方向Ｘにおける庇部３４２の先端部に設けられている。
【０１２９】
第２共通サブユニット３３２は、例えばヒューズ７７のような電気部品と、該電気部品を保持するホルダ３５０とを備えている。ただし、第２共通サブユニット３３２に設けられる電気部品及び個数は特に限定されるものでない。
【０１３０】
ホルダ３５０は、上下方向Ｚに直角に配置された扁平な部材である。ホルダ３５０の上面は、第１共通サブユニット３３１の庇部３４２の下面と略同じ高さに配置されている。ホルダ３５０の上面には、第２係合部としての係合凹部３５４が横方向Ｘに複数並べて設けられている。各係合凹部３５４には、第１共通サブユニット３３１の係合凸部３４４が係合可能とされており、係合凸部３４４は、複数の係合凹部３５４のいずれか１つに選択的に係合される。係合凸部３４４と係合凹部３５４は、相互に係合されることで第１及び第２共通サブユニット３３１，３３２を横方向Ｘに相互に位置決めする位置決め部として機能する。
【０１３１】
電気部品ユニット３３０の横方向Ｘの寸法Ｌｘは、係合凸部３４４がいずれの係合凹部３５４に係合されるかによって変わる。したがって、第２共通サブユニット３３２に対して第１共通サブユニット３３１が横方向Ｘに相対移動することで、第２共通サブユニット３３２のホルダ３５０に対して第１共通サブユニット３３１のベース部３４１が接近又は離反すると、係合凸部３４４に係合される係合凹部３５４が切り換えられ、これにより、電気部品ユニット３３０の寸法Ｌｘが段階的に縮小又は拡大される。
【０１３２】
そのため、例えば、図１５（ａ）に示すように、第１共通サブユニット３３１のベース部３４１と第２共通サブユニット３３２のホルダ３５０が最も接近した状態において、電気部品ユニット３３０の横方向Ｘの寸法ＬｘがＬ５とされる場合、図１５（ｂ）に示すように、ホルダ３５０からベース部３４１が離反した状態では、電気部品ユニット３３０の横方向Ｘの寸法Ｌｘは、図１５（ａ）の状態での寸法Ｌ５よりも大きな寸法Ｌ６となる。
【０１３３】
以上のように、第３実施形態によれば、第２共通サブユニット３３２における複数の係合凹部３５４に対して第１共通サブユニット３３１の係合凸部３４４を選択的に係合させることで、横方向Ｘにおける第１及び第２共通サブユニット３３１，３３２間の相対位置を、スペーサを用いることなく段階的に切り換えることができる。したがって、スペーサの廃止によって部品点数の低減を図りつつ、電気部品ユニット３３０の寸法Ｌｘを容易に調整できる。
【０１３４】
なお、第３実施形態では、第１共通サブユニット３３１に設けられる第１係合部が係合凸部３４４で構成され、第２共通サブユニット３３２に設けられる第２係合部が係合凹部３５４で構成されているが、第１係合部が係合凹部で構成され、第２係合部が係合凸部で構成されてもよい。
【０１３５】
また、第３実施形態では、第１係合部３４４が１つ設けられ、第２係合部３５４が複数設けられているが、第１係合部が複数設けられ、第２係合部の個数が１つであってもよい。
【０１３６】
以上、上述の実施形態を挙げて本発明を説明したが、本発明は上述の実施形態に限定されるものではない。
【０１３７】
例えば、上述の各実施形態では、蓄電装置の外装体の寸法が横方向Ｘ（外装体上面の一対の外部端子間を結ぶ方向）に関して複数存在する場合において、これに合わせて電気部品ユニットの横方向Ｘ寸法も複数存在する例、すなわち、特許請求の範囲の「所定方向」（電気部品ユニットの寸法に関して複数の寸法が存在する方向）が外装体の横方向Ｘである例を説明したが、本発明における「所定方向」は、これに限定されるものでなく、例えば、蓄電装置の外装体の横方向Ｘに直角な方向（縦方向Ｙ又は上下方向Ｚ）であってもよい。
【０１３８】
また、上述の各実施形態では、蓄電装置の外装体内に複数の蓄電素子が所定の重ね方向（例えば横方向Ｘ）に重ねられる場合において、特許請求の範囲の「所定方向」（電気部品ユニットの寸法に関して複数の寸法が存在する方向）が、蓄電素子の重ね方向に一致する例を説明したが、本発明における「所定方向」は蓄電素子の重ね方向に一致しなくてもよく、例えば、重ね方向に直角な方向（例えば、縦方向Ｙ又は上下方向Ｚ）であってもよい。
【０１３９】
さらに、上述の各実施形態では、特許請求の範囲の「所定方向」（電気部品ユニットの寸法に関して複数の寸法が存在する方向）が、角形の蓄電素子が用いられる場合における蓄電素子の端子面（上面）の短辺方向（例えば横方向Ｘ）に一致する例を説明したが、本発明における「所定方向」は当該方向に一致しなくてもよく、例えば、角形の蓄電素子の端子面における長辺方向（例えば縦方向Ｙ）、又は、該端子面に直角な方向（例えば上下方向Ｚ）であってもよい。
【０１４０】
さらに、上述の各実施形態では、特許請求の範囲の「所定方向」が１つの方向（横方向Ｘ）のみである例を説明したが、複数の方向であってもよい。したがって、電気部品ユニットの寸法に関して、例えば上述の実施形態における横方向Ｘ、縦方向Ｙ、上下方向Ｚのうちいずれか２つ又は３つの方向について複数の寸法が存在し、それぞれの方向に関して所定寸法が選択される場合にも、本発明を適用可能である。
【０１４１】
また、上述の各実施形態では、電気部品ユニットが１つ又は２つの共通サブユニットを備える例を説明したが、本発明において、電気部品ユニットには、３個以上の共通サブユニットが設けられてもよい。
【０１４２】
さらに、上述の各実施形態では、隣接するサブユニット間の接続において、一方のサブユニットの側面部の貫通穴４４，６８に、他方のサブユニットの係合凸部５４，６６が差し込まれる例（図８参照）、及び、一方のサブユニットに設けられた複数の係合凹部３５４に、他方のサブユニットの係合凸部３４４が選択的に係合される例（図１５参照）を説明したが、本発明において、サブユニット間の具体的な接続方法は特に限定されるものでなく、例えば、ツメ止め、はめ込み、ネジ止め、溶接、カシメ、リベット止め、結束バンドによる固定、接着、粘着テープ止めによって、サブユニット間が接続されてもよい。
【０１４３】
また、本発明に係る蓄電装置を構成する蓄電素子は、上述の実施形態のような角形の電池に限定されるものでなく、例えば、円筒形電池又はラミネート形（パウチ形）の電池であってもよい。
【０１４４】
さらに、上述の実施形態では、蓄電素子としてリチウムイオン二次電池のような非水電解質二次電池を有する蓄電装置を例に本発明に係る蓄電装置を説明したが、本発明に係る蓄電装置を構成する蓄電素子は、非水電解質二次電池以外の二次電池、一次電池、キャパシタを含む種々の蓄電素子であってもよい。
【０１４５】
また、本発明は、複数の蓄電素子を有する組電池に限られず、蓄電素子を１つのみ備えた蓄電装置にも適用することができる。
【符号の説明】
【０１４６】
１Ａ，１Ｂ              組電池（蓄電装置）
２Ａ，２Ｂ              外装体
８                      正極外部端子
９                      負極外部端子
１０                    単電池（蓄電素子）
３０Ａ，３０Ｂ，３０Ｃ  電気部品ユニット
３１                    第１共通サブユニット
３２                    第２共通サブユニット
３３，３３Ｃ            スペーサ
４１ｂ                  長側面部（位置決め部）
５０ｂ                  側面部（位置決め部）
６２                    側面部（位置決め部）
６４                    側面部（位置決め部）
７０                    バスバー（電気部品）
７１                    シャント抵抗器（電気部品）
７２                    制御基板（電気部品）
７３                    コネクタ（電気部品）
７４                    バスバー（電気部品）
７５                    リレーユニット（電気部品）
７６                    バスバー（電気部品）
７７                    ヒューズ（電気部品）
２０１Ａ，２０１Ｂ      組電池（蓄電装置）
２０２Ａ，２０２Ｂ      外装体
２０８                  正極外部端子
２０９                  負極外部端子
２３０Ａ，２３０Ｂ      電気部品ユニット
２３１                  共通サブユニット
２３２Ａ，２３２Ｂ      正極側サブユニット
２３３Ａ，２３３Ｂ      負極側サブユニット
３３０                  電気部品ユニット
３３１                  第１共通サブユニット
３３２                  第２共通サブユニット
３４４                  係合凸部（第１係合部）（位置決め部）
３５４                  係合凹部（第２係合部）（位置決め部）
【図１】
2018010836.tif 000003
【図２】
2018010836.tif 000004
【図３】
2018010836.tif 000005
【図４】
2018010836.tif 000006
【図５】
2018010836.tif 000007
【図６】
2018010836.tif 000008
【図７】
2018010836.tif 000009
【図８】
2018010836.tif 000010
【図９】
2018010836.tif 000011
【図１０】
2018010836.tif 000012
【図１１】
2018010836.tif 000013
【図１２】
2018010836.tif 000014
【図１３】
2018010836.tif 000015
【図１４】
2018010836.tif 000016
【図１５】
2018010836.tif 000017